(57)【要約】【課題】  高速再生時においても容易に再生画像の内容を確認可能とする。【解決手段】  テープ状記録媒体上に形成された多数のトラックより通常再生用画像データと特殊再生用画像データとを再生する再生手段と、前記再生手段により再生された画像データを表示装置に出力する出力手段と、前記テープ状記録媒体を通常再生速度で搬送しながら前記通常再生用画像データを再生する通常再生モードと、前記テープ状記録媒体を前記通常再生速度よりも速い所定の速度で搬送しながら前記特殊再生用画像データを再生する特殊再生モードを含む複数のモードの間で装置のモードを切り替えるモード切り替え手段と、前記特殊再生モードにおいて、前記特殊再生用画像データ中の所定の画面が他の画面よりも長い期間表示されるよう前記出力手段を制御する制御手段とを備える。【選択図】  図４
2006121582.tif 000002
【特許請求の範囲】
【請求項１】
テープ状記録媒体上に形成された多数のトラックより通常再生用画像データと特殊再生用画像データとを再生する再生手段と、
前記テープ状記録媒体を搬送する搬送手段と、
前記再生手段により再生された通常再生用画像データまたは特殊再生用画像データを表示装置に出力する出力手段と、
前記テープ状記録媒体を通常再生速度で搬送しながら前記再生手段により前記通常再生用画像データを再生する通常再生モードと、前記テープ状記録媒体を前記通常再生速度よりも速い所定の速度で搬送しながら前記再生手段により前記特殊再生用画像データを再生する特殊再生モードを含む複数のモードの間で装置のモードを切り替えるモード切り替え手段と、
前記特殊再生モードにおいて、前記再生手段により再生された特殊再生用画像データ中の所定の画面が他の画面よりも長い期間前記表示装置で表示されるよう前記出力手段を制御する制御手段とを備える再生装置。
【請求項２】
前記再生手段は前記テープ状記録媒体を走査するヘッドを有し、前記特殊再生用画像データは前記テープ状記録媒体を前記特殊再生モードにおける搬送速度で搬送した際の前記ヘッドの走査軌跡に対応した領域に記録されていることを特徴とする請求項１記載の再生装置。
【請求項３】
前記通常再生用画像データはフレーム間予測符号化方式を用いて符号化されており、前記特殊再生用画像データはフレーム内符号化方式により符号化されていることを特徴とする請求項１又は２記載の再生装置。
【請求項４】
前記制御手段は前記特殊再生用画像データにおけるシーンの変わり目を検出し、シーンの先頭部分の画面が他の画面よりも長い間表示されるよう前記出力手段を制御することを特徴とする請求項１記載の再生装置。
【請求項５】
前記制御手段は前記特殊再生用画像データに付加された所定のフラグ情報に基づいて前記所定の画面を決定することを特徴とする請求項１記載の再生装置。
【請求項６】
前記制御手段は更に、前記特殊再生モードへの切り替え指示に応じて、前記再生手段により再生された前記特殊再生用画像データ中の先頭の画面が他の画面よりも長い期間前記表示装置で表示されるよう前期出力手段を制御することを特徴とする請求項５記載の再生装置。
【請求項７】
前記再生手段により再生された通常再生用画像データまたは特殊再生用画像データを第２の表示装置に出力する第２の出力手段を備え、前記制御手段は更に、前記特殊再生モードにおいて、前記特殊再生用画像データ中の前記所定の画面が他の画面と同じ期間前記第２の表示装置に表示されるよう前記第２の出力手段を制御することを特徴とする請求項１記載の再生装置。
【請求項８】
前記制御手段は更に、前記通常再生モードにおいても前記通常再生用画像データと前記特殊再生用画像データとを再生するよう前記再生手段を制御すると共に、前記通常再生用画像データを前記表示装置に出力しながら前記特殊再生用画像データを前記第２の表示装置に出力するよう前記出力手段と前記第２の出力手段とを制御することを特徴とする請求項７記載の再生装置。
【請求項９】
動画像データを入力する入力手段と、
前記入力手段により入力された動画像データを用いて前記通常再生用画像データと前記特殊再生用画像データとを生成する画像処理手段と、
前記画像処理手段により生成された通常再生用画像データと特殊再生用画像データとを前記テープ状記録媒体に記録する記録手段とを備えたことを特徴とする請求項１記載の再生装置。
【発明の詳細な説明】
【技術分野】
【０００１】
本発明は再生装置に関し、特に、画像データの特殊再生時の処理に関する。
【背景技術】
【０００２】
従来、動画像信号をデジタル信号として符号化して磁気テープに記録するデジタルＶＴＲが知られている。一般に、デジタルＶＴＲにおいては、テープを通常の速度で搬送しながら画像データを再生する通常再生モードに加え、テープを通常再生モードよりも高速に搬送しながら画像データを再生するサーチ再生モードを備えている。
【０００３】
また、近年、動画像信号をＭＰＥＧなどの符号化方式により符号化して磁気テープに記録するＶＴＲも登場している。そして、サーチ再生モードの様にテープ状のトラックをヘッドが横切って走査する場合、ＭＰＥＧ符号化された全ての画像データが得られないことになる。ＭＰＥＧではフレーム間予測符号化を用いているため、サーチ時には前方向予測画面（Ｐピクチャ）や双方向予測画面（Ｂピクチャ）のデータだけでは正しく復号することができない。
【０００４】
そこで、通常再生用のＭＰＥＧ符号化した画像データとは別に、通常再生用画像の一部のフレームを抽出してフレーム内符号化により符号化した特殊再生用データを生成し、所定の速度でテープを搬送した際のヘッドの走査軌跡に対応したトラック上の領域に、通常再生用データとは別途記録することで、サーチ再生を実現する構成が考えられている（例えば、特許文献１参照）。
【特許文献１】特開２００１−２９８７０６号公報
【発明の開示】
【発明が解決しようとする課題】
【０００５】
前述の様に、特殊再生用データを別途記録しておくことで、ＭＰＥＧ符号化した画像データを記録再生する場合にもサーチ再生を実現できるが、特殊再生用画像は、元の動画像の一部のフレームを抽出して生成されているため、再生速度が高速になると、関連性の低い画面が離散的に表示されることになる。
【０００６】
例えば、５倍速程度であれば５フレームに１フレームづつサーチ用画像として抽出されることになるが、２０倍速や３０倍速になると、２０フレーム、あるいは３０フレームに１フレームがサーチ用画像として抽出されることになり、サーチ再生時に表示される画面も２０フレームや３０フレームおきの画面が表示されることになる。
【０００７】
そのため、ユーザは、サーチ再生画面を見ながら内容を確認することが困難となってしまうという問題があった。
【０００８】
本発明はこの様な問題を解決し、高速再生時においても容易に再生画像の内容を確認可能な装置を提供することを目的とする。
【課題を解決するための手段】
【０００９】
本発明においては、テープ状記録媒体上に形成された多数のトラックより通常再生用画像データと特殊再生用画像データとを再生する再生手段と、前記テープ状記録媒体を搬送する搬送手段と、前記再生手段により再生された通常再生用画像データまたは特殊再生用画像データを表示装置に出力する出力手段と、前記テープ状記録媒体を通常再生速度で搬送しながら前記再生手段により前記通常再生用画像データを再生する通常再生モードと、前記テープ状記録媒体を前記通常再生速度よりも速い所定の速度で搬送しながら前記再生手段により前記特殊再生用画像データを再生する特殊再生モードを含む複数のモードの間で装置のモードを切り替えるモード切り替え手段と、前記特殊再生モードにおいて、前記再生手段により再生された特殊再生用画像データ中の所定の画面が他の画面よりも長い期間前記表示装置で表示されるよう前記出力手段を制御する制御手段とを備える。
【発明の効果】
【００１０】
本発明によれば、特殊再生時において特殊再生用画像の所定のフレームを他のフレームよりも長い間表示するため、例えば特徴となる画面を長時間表示することで再生画像の内容を容易に認識することが可能となる。
【発明を実施するための最良の形態】
【００１１】
図１は本発明を適用したデジタルＶＴＲの構成を示す図である。
【００１２】
まず、撮影時の動作について説明する。
【００１３】
撮像部１０１により得られた動画像データは符号化部１０２と表示制御部１０８に出力される。表示制御部１０８は、制御部１１０の指示に従い、撮影時においては撮像部１０１からの動画像データを表示部１０９に出力し、撮像部１０１２より得られた被写体画像を表示部１０１２表示する。
【００１４】
符号化部１０２は撮像部１０１からの動画像データをＭＰＥＧ符号化して通常再生用画像データを生成すると共に、撮像部１０１からの動画像データより所定のサーチ再生速度に応じて一部のフレームを抽出し、特殊再生用画像データを生成する。図３に符号化部１０２の様子を示す。
【００１５】
図３において、撮像部１０１より動画像データが入力され、ＭＰＥＧ符号化部３０１は入力された動画像データをＭＰＥＧ方式で符号化して通常再生用画像データを生成する。また、撮像部１０１からの動画像データはサーチ用画像抽出部３０２にも出力され、サーチ用画像抽出部３０２は、サーチ再生時の再生速度に応じた所定のタイミングで、入力された動画像データより一部のフレームを抽出し、フレーム内符号化部３０３に出力する。フレーム内符号化部３０３は抽出されたサーチ用画像データを、例えばＪＰＥＧなどのフレーム内符号化方式で符号化して特殊再生用画像データを生成する。
【００１６】
次に、記録処理部１０３は、符号化部１０２より出力された通常再生用画像データと特殊再生用画像データとをテープ上のトラック内におけるデータ配置に応じた所定のタイミングで多重すると共に、エラー訂正符号化処理や同期、ＩＤデータ付加などの処理を施し、記録再生部１０４に出力する。また、記録処理部１０３は、制御部１１０からの指示に従い、記録開始の指示から所定期間にわたり、記録開始部分を示す情報を通常再生用画像データと特殊再生用画像データの両方に付加する。記録再生部１０４は不図示の回転ヘッドにより、搬送部１１１により所定の速度で搬送されているテープＴ上に多数のトラックを形成し、記録処理部１０３より出力されたデータを記録する。
【００１７】
図２はテープＴ上に記録される通常再生用データと特殊再生用データの様子を示す図である。
【００１８】
図２の矢印２０１はテープＴの搬送方向を示している。また、矢印２０４は例えば、５倍速再生時におけるヘッドの走査軌跡を示している。例えば、本形態のＶＴＲにおけるサーチ再生時の再生速度を５倍速とした場合、図２の２０２、或いは２０３に示した領域に、特殊再生用画像データを配置する。また、本形態のＶＴＲでは、ＭＰＥＧ符号化の基本単位である１ＧＯＰを１５フレームで構成し、この１ＧＯＰの通常再生用画像データをテープ上の１５０トラックに記録している。そのため、５倍速再生用の特殊再生用画像データは１ＧＯＰ期間で３フレーム分となり、この３フレーム分の特殊再生用画像データを１５０トラックにわたって記録することになる。
【００１９】
次に、通常再生時の処理について説明する。
【００２０】
操作部１１２により通常再生が指示されると、制御部１１０は搬送部１１１を制御して、テープＴを記録時の搬送速度に対応した通常再生用の速度で搬送する。記録再生部１０４はテープＴに記録された画像データを再生して再生処理部１０５に出力する。再生処理部１０５は、再生された画像データに対してエラー訂正処理などを施した後、通常再生用画像データと特殊再生用画像データとを分離して復号部１０６に出力する。復号部１０６は、通常再生時においては、制御部１１０の指示に従い、通常再生用画像データを復号して表示制御部１０８及び出力部１０７に出力する。表示制御部１０８は、制御部１１０からの指示に従い、再生時においては復号部１０６から出力された動画像データを選択して表示部１０９に出力し、再生画像を表示部１０９に表示する。また、出力部１０７は復号部１０６から出力された動画像データを外部のモニタ装置などに出力する。
【００２１】
次に、サーチ再生時の処理を説明する。図４はサーチ再生時におけるＶＴＲ１００の動作を示すフローチャートである。通常再生中に操作部１１２によりサーチ再生の指示があったときに図４のフローがスタートする。
【００２２】
サーチ再生の指示があると、制御部１１０は復号部１０６を制御し、そのときに再生されていた特殊再生用画像データを復号すると共に、先頭の１フレームを所定期間ホールドして表示するよう、先頭の１フレームの特殊再生用画像データを表示制御部１０８、出力部１０７に出力する（Ｓ４０１）。本形態では、ホールド表示する期間は数秒間としているが、通常、特殊再生用データを再生して表示する際に表示画面が更新される期間よりも長い期間ホールド表示するよう、表示期間を設定している。
【００２３】
そして、制御部１１０は搬送部１１１を制御してテープＴをサーチ再生時に応じた速度で搬送すると共に、記録再生部１０４、復号部１０６を制御して、テープＴより特殊再生用画像データを再生、復号してサーチ画像として表示制御部１０８に出力する。そして、表示部１０９に先頭フレームを所定期間ホールド表示した後、通常のサーチ用画像に切り替えて表示する（Ｓ４０２）。
【００２４】
この様にサーチ用画像を表示しながら、制御部１１０は再生データ中に含まれる記録開始位置の情報に基づいてシーンの変わり目を検出する（Ｓ４０３）。シーンの変わり目を検出すると、再生された特殊再生用画像データより次のシーンの先頭のフレームを再び所定期間ホールド表示するよう、表示制御部１０８を制御する（Ｓ４０５）。この間もテープＴの搬送、特殊再生用画像データの再生処理は継続している。そして、所定期間ホールド表示した後、再びＳ４０２に戻り、サーチ画像の表示に切り替える。
【００２５】
また、シーンの変わり目を検出しない場合、サーチ再生終了の指示を検出し（Ｓ４０４）、サーチ再生終了の指示があるまでＳ４０２に戻って前述の処理を繰り返す。
【００２６】
以上説明したように、本実施形態においては、サーチ再生時においてサーチ再生開始部分の先頭フレームを所定期間ホールド表示すると共に、サーチ再生中にシーンの変わり目を検出し、次のシーンの先頭フレームをやはり所定期間ホールド表示することで、シーンの変わり目の画像を容易に認識することができる。
【００２７】
そのため、サーチ再生速度が速い場合にも、再生画像の内容を認識することが可能となる。
【００２８】
なお、本形態では、シーンの変わり目の画面をホールド表示していたが、これ以外にも、例えば、サーチ時にホールド表示すべきフレームに対してその旨を示すフラグなどを付加して記録しておき、サーチ再生時にそのフラグを検出した場合にホールド表示するよう構成してもよい。
【００２９】
この様に構成することで、ユーザは自分で内容を認識しやすいと思われる画面をサーチ時にホールド表示させることができ、より内容を把握しやすくなる。
【００３０】
なお、本実施形態では、サーチ再生時において、表示部１０９と出力部１０７に対して同じ画像データを出力していたが、一方についてはホールド表示を行わず、サーチ再生画像をそのまま出力するようにしてもよい。例えば、制御部１１０２より表示制御部１０８を制御し、表示部１０９に出力するサーチ再生画像については図４のフローに示した様にシーンの変わり目のフレームをホールド表示し、出力部１０７より外部のモニタに出力されるサーチ再生画像については復号部１０６により復号された特殊再生用画像データをそのまま出力する。
【００３１】
また、通常再生時においても、復号部１０６により通常再生用画像データのみを復号して表示制御部１０８、出力部１０７に出力していたが、通常再生時においても復号部１０６により特殊再生用画像データを復号し、表示制御部１０８と出力部１０７の一方に供給するよう構成してもよい。
【００３２】
例えば、出力部１０７に対しては通常再生用画像データを供給し、表示制御部１０８に対しては特殊再生用画像データを供給することで、出力部１０７に接続された外部モニタに通常再生画像を表示しながら、表示部１０９にはサーチ用画像を表示することができる。ただし、このとき表示部１０９に表示されるサーチ用画像は、通常再生速度に応じたタイミングで表示画面が更新されることになる。
【図面の簡単な説明】
【００３３】
【図１】本発明が適用されるＶＴＲの構成を示す図である。
【図２】テープ上に記録されたデータのフォーマットを示す図である。
【図３】符号化部の構成を示す図である。
【図４】サーチ再生時の処理を示すフローチャートである。
【図１】
2006121582.tif 000003
【図２】
2006121582.tif 000004
【図３】
2006121582.tif 000005
【図４】
2006121582.tif 000006